(57)【要約】    【課題】      パケットの再送回数の低減により、伝送効率の向上とシステム容量の増大を図ること。    【解決手段】  ＳＩＲ測定部１０７は、受信信号より受信ＳＩＲを測定する。受信品質判定部１０８は、復調データの品質を測定して、再送回数情報をＣＱＩ選択調整部１１１へ出力する。ｆＤ推定部１０９は、受信信号よりｆＤを推定して、基地局装置に対する相対移動速度を推定する。調整ステップ制御部１１０は、ｆＤに応じた補正幅を選択する。ＣＱＩ選択調整部１１１は、再送回数情報と補正幅情報とに基づいて、ＣＱＩを選択する際のしきい値の最終的な補正幅及び補正方向を決定する。ＣＱＩ選択部１１２は、ＣＱＩ選択調整部１１１の指示により補正されたしきい値と受信ＳＩＲとを比較することによりＣＱＩを選択する。多重部１１３は、基地局装置へ送信される送信データとＣＱＩを多重する。  【選択図】      図１
2005064947.tif 000002
【特許請求の範囲】
【請求項１】
受信信号より伝搬環境推定を行う伝搬環境推定手段と、
前記伝搬環境推定手段により推定した伝搬環境状況、及び通信相手との通信品質を示す情報である通信品質情報に基づいて、しきい値を可変に設定するしきい値設定手段と、
前記しきい値設定手段により設定されたしきい値と受信品質を示す測定値とを比較することにより受信品質報告値を決定する受信品質報告値決定手段と、
前記受信品質報告値決定手段により決定された受信品質報告値の情報を前記通信相手に送信する送信手段と、
を具備することを特徴とする無線通信装置。
【請求項２】
前記しきい値設定手段は、前記通信品質情報より通信品質が劣化するほど前記しきい値を受信品質が悪い方向へ補正し、前記通信品質情報より通信品質が良好なほど前記しきい値を受信品質が良い方向へ補正するとともに、前記伝搬環境推定手段により推定した伝搬環境の変動が激しいほど前記しきい値の補正幅を大きくすることを特徴とする請求項１記載の無線通信装置。
【請求項３】
前記伝搬環境推定手段は、受信信号より通信相手に対する相対移動速度を測定し、前記受信品質報告値決定手段は、前記伝搬環境推定手段にて測定された前記相対移動速度が大きいほど前記しきい値の補正幅を大きくすることを特徴とする請求項１または請求項２記載の無線通信装置。
【請求項４】
前記伝搬環境推定手段は、遅延プロファイルより遅延スプレッドを推定し、前記受信品質報告値決定手段は、前記伝搬環境推定手段により推定された遅延スプレッドが長いほど前記しきい値の補正幅を大きくすることを特徴とする請求項１から請求項３のいずれかに記載の無線通信装置。
【請求項５】
前記通信品質を測定する測定時間を設定する設定時定数制御手段を具備し、前記しきい値設定手段は、前記設定時定数制御手段にて設定された前記測定時間毎に、前記通信品質情報と前記伝搬環境推定手段により推定された伝搬環境状況に基づいて、前記しきい値を可変に設定することを特徴とする請求項１から請求項４のいずれかに記載の無線通信装置。
【請求項６】
前記設定時定数制御手段は、前記伝搬環境推定手段により推定された伝搬環境状況の変動が激しいほど前記測定時間を短く設定することを特徴とする請求項５記載の無線通信装置。
【請求項７】
前記伝搬環境推定手段は、受信信号より通信相手に対する相対移動速度を測定し、前記設定時定数制御手段は、前記伝搬環境推定手段により測定された前記相対移動速度が大きいほど前記測定時間を短くすることを特徴とする請求項５または請求項６記載の無線通信装置。
【請求項８】
前記伝搬環境推定手段は、遅延プロファイルより遅延スプレッドを推定し、前記設定時定数制御手段は、前記伝搬環境推定手段により推定された前記遅延スプレッドが長いほど前記測定時間を短く設定することを特徴とする請求項５から請求項７のいずれかに記載の無線通信装置。
【請求項９】
前記伝搬環境推定手段は、他のセルの基地局装置からの受信信号の電力密度に対する自セルの基地局装置からの受信信号の電力密度の電力密度比を測定し、前記受信品質報告値決定手段は、前記電力密度比が大きいほど前記しきい値の補正幅を大きくすることを特徴とする請求項１から請求項４のいずれかに記載の無線通信装置。
【請求項１０】
前記伝搬環境推定手段は、他のセルの基地局装置からの受信信号の電力密度に対する自セルの基地局装置からの受信信号の電力密度の電力密度比を測定し、前記設定時定数制御手段は、前記電力密度比が大きいほど前記測定時間を短く設定することを特徴とする請求項５から請求項８のいずれかに記載の無線通信装置。
【請求項１１】
請求項１から請求項１０のいずれかに記載の無線通信装置を具備することを特徴とする通信端末装置。
【請求項１２】
請求項１から請求項８のいずれかに記載の無線通信装置を具備することを特徴とする基地局装置。
【請求項１３】
受信信号より伝搬環境推定を行うステップと、
推定された伝搬環境状況、及び通信相手との通信品質を示す情報である通信品質情報とに基づいて、しきい値を可変に設定するステップと、
前記しきい値と受信品質を示す測定値とを比較することにより受信品質報告値を決定するステップと、
決定された前記受信品質報告値の情報を前記通信相手に送信するステップと、
を具備することを特徴とする受信品質報告方法。
【請求項１４】
前記通信品質情報より通信品質が劣化するほど前記しきい値を受信品質が悪い方向へ補正し、前記通信品質情報より通信品質が良好なほど前記しきい値を受信品質が良い方向へ補正するとともに、推定した伝搬環境状況の変動が激しいほど前記しきい値の補正幅を大きくすることを特徴とする請求項１３記載の受信品質報告方法。
【発明の詳細な説明】
【技術分野】
【０００１】
本発明は、無線通信装置及び受信品質報告方法に関し、例えば共有チャネルを用いて高速パケット伝送を行う無線通信装置及び受信品質報告方法に関する。
【背景技術】
【０００２】
従来、高速大容量な下りチャネルを複数の通信端末装置が共有し、高速なパケット伝送を行う下り高速パケット伝送方式（例えば、ＨＳＤＰＡ（High Speed Downlink Packet Access））が開発されている。この伝送方式では、伝送効率を高めるために、スケジューリング技術及び適応変調技術等の技術が用いられている。スケジューリング技術とは、個々の通信端末装置が下り回線の伝搬路の状態を観測し、基地局装置が各通信端末装置から報告された伝搬環境を比較して、伝搬環境の良い通信端末装置にパケット送信する技術である。ここで、通信端末装置が測定した下り回線の伝搬路の状態はＣＱＩ（Channel Quality Indicator）と呼ばれる。通信端末装置は、図１７に示すような受信ＳＩＲとＣＱＩとを関係付けた受信品質情報を記憶しており、所定のタイミングにて測定した受信ＳＩＲを用いて受信品質情報を参照することにより、あらかじめ定められた受信品質が得られる最大のＣＱＩを選択する。ここで、高いＣＱＩは伝送レートが高いが伝送誤りに脆弱であり、低いＣＱＩは伝送レートが低いが伝送誤りに対して耐性がある。
【０００３】
また、基地局装置は、個々の通信端末装置に対する伝送効率を考慮し、再送が必要なデータを優先的に送信するなどの順序制御を行う。適応変調技術とは、基地局装置が、ＣＱＩ報告値に応じて、適応的に変調方式または符号化レート（ＭＣＳ（Modulation and Coding Scheme））を変更する技術である。そして、基地局装置から送信された高速パケットが、通信端末装置において所定の受信品質を満たさなかった場合、基地局装置はパケットを再送する。
【０００４】
また、従来、基地局装置が、伝搬環境に応じてＭＣＳを選択する際のしきい値を変更するものが知られている（例えば、特許文献１。）。この時、基地局装置は、再送回数に基づいて、ＭＣＳを選択する際のしきい値を調整して最適な変調方式及び符号化率を設定する。
【特許文献１】特開２００３−３７５５４号公報
【発明の開示】
【発明が解決しようとする課題】
【０００５】
しかしながら、従来の無線通信装置においては、ＣＱＩによる報告に基づいてＭＣＳ選択を行うため、ＭＣＳ選択の際のしきい値を調整しても、ＣＱＩが伝搬環境を正しく反映していない場合は、ＣＱＩに基づいて選択されたＭＣＳも不正確なものである。この結果、パケットの再送が繰り返されることにより、伝送効率が低下してしまうという問題がある。
【０００６】
また、従来の無線通信装置においては、通信相手に対する相対移動速度が大きい場合等の伝搬環境の変動が激しい場合、ＣＱＩを選択する時には伝搬環境に応じた最適なＣＱＩを選択しても、ＣＱＩを受信した基地局装置がＣＱＩに基づいて符号化等してパケットデータを送信する時には、伝搬環境がＣＱＩを選択した時に較べて変動している場合がある。このような場合、ＣＱＩ選択の精度を向上させても、ＣＱＩに基づいて符号化等されたパケットデータには誤りが生じ、パケットの再送が繰り返されることにより伝送効率が低下してしまうとともに、伝送効率が低下することによりシステム容量が限られてしまうという問題がある。
【０００７】
本発明はかかる点に鑑みてなされたものであり、パケットの再送回数の低減により、伝送効率の向上とシステム容量の増大を図ることができる無線通信装置及び受信品質報告方法を提供することを目的とする。
【課題を解決するための手段】
【０００８】
本発明の無線通信装置は、受信信号より伝搬環境推定を行う伝搬環境推定手段と、前記伝搬環境推定手段により推定した伝搬環境状況、及び通信相手との通信品質を示す情報である通信品質情報に基づいて、しきい値を可変に設定するしきい値設定手段と、前記しきい値設定手段により設定されたしきい値と受信品質を示す測定値とを比較することにより受信品質報告値を決定する受信品質報告値決定手段と、前記受信品質報告値決定手段により決定された受信品質報告値の情報を前記通信相手に送信する送信手段と、を具備する構成を採る。
【０００９】
この構成によれば、伝搬環境状況を推定し、推定した伝搬環境状況に応じて、受信品質を示す測定値を用いて受信品質報告値を選択する際のしきい値の補正幅を適応的に変化させるので、伝搬環境状況が精度良く反映されていないしきい値の設定による誤った受信品質報告値の選択を防ぐことができ、パケットの再送回数の低減により、伝送効率の向上とシステム容量の増大を図ることができる。
【００１０】
本発明の無線通信装置は、前記構成において、前記しきい値設定手段は、前記通信品質情報より通信品質が劣化するほど前記しきい値を受信品質が悪い方向へ補正し、前記通信品質情報より通信品質が良好なほど前記しきい値を受信品質が良い方向へ補正するとともに、前記伝搬環境推定手段により推定した伝搬環境の変動が激しいほど前記しきい値の補正幅を大きくする構成を採る。
【００１１】
この構成によれば、前記効果に加えて、伝搬環境状況の変動が激しい場合には、補正幅を大きくして適切なしきい値が設定されるまでの時間を短縮することができ、伝搬環境状況の変動が緩やかな場合には、補正幅を小さくして僅かな伝搬環境状況の変動に対する追従性を向上させることができる。
【００１２】
本発明の無線通信装置は、前記構成において、前記伝搬環境推定手段は、受信信号より通信相手に対する相対移動速度を測定し、前記受信品質報告値決定手段は、前記伝搬環境推定手段にて測定された前記相対移動速度が大きいほど前記しきい値の補正幅を大きくする構成を採る。
【００１３】
この構成によれば、前記効果に加えて、通信相手に対する相対移動速度が大きい場合には、補正幅を大きくして適切なしきい値が設定されるまでの時間を短縮することができ、通信相手に対する相対移動速度が小さい場合には、補正幅を小さくして僅かな伝搬環境状況の変動に対する追従性を向上させることができる。
【００１４】
本発明の無線通信装置は、前記構成において、前記伝搬環境推定手段は、遅延プロファイルより遅延スプレッドを推定し、前記受信品質報告値決定手段は、前記伝搬環境推定手段により推定された遅延スプレッドが長いほど前記しきい値の補正幅を大きくする構成を採る。
【００１５】
この構成によれば、前記効果に加えて、マルチパス環境による伝搬環境状況の激しい変動を遅延スプレッドの広がりにより判定することができるとともに、遅延スプレッドの広がりに応じたしきい値の補正幅を選択することができるので、通信品質に精度良く対応した受信品質報告値を選択することができる。
【００１６】
本発明の無線通信装置は、前記構成において、前記通信品質を測定する測定時間を設定する設定時定数制御手段を具備し、前記しきい値設定手段は、前記設定時定数制御手段にて設定された前記測定時間毎に、前記通信品質情報と前記伝搬環境推定手段により推定された伝搬環境状況に基づいて、前記しきい値を可変に設定する構成を採る。
【００１７】
この構成によれば、前記効果に加えて、適切な平均化時定数を設定することにより、精度良く通信品質を測定することができるので、精度の良い通信品質情報を用いて精度良く受信品質報告値を選択することができる。
【００１８】
本発明の無線通信装置は、前記構成において、前記設定時定数制御手段は、前記伝搬環境推定手段により推定された伝搬環境状況の変動が激しいほど前記測定時間を短く設定する構成を採る。
【００１９】
この構成によれば、前記効果に加えて、伝搬環境の変動が激しい時には短い平均化時定数を設定することにより通信品質を測定する時間を短くすることができ、伝搬環境の変動が緩やか時には長い平均化時定数を設定することにより通信品質を測定する時間を長くすることができるので、伝搬環境に応じた正確な通信品質を測定することができる。
【００２０】
本発明の無線通信装置は、前記構成において、前記伝搬環境推定手段は、受信信号より通信相手に対する相対移動速度を測定し、前記設定時定数制御手段は、前記伝搬環境推定手段により測定された前記相対移動速度が大きいほど前記測定時間を短くする構成を採る。
【００２１】
この構成によれば、前記効果に加えて、通信相手に対する相対移動速度が大きい場合には、短い平均化時定数を設定することにより通信品質を測定する時間を短くすることができ、通信相手に対する相対移動速度が緩やかな場合には、長い平均化時定数を設定することにより通信品質を測定する時間を長くすることができるので、通信相手に対する相対移動速度に応じた正確な通信品質を測定することができる。
【００２２】
本発明の無線通信装置は、前記構成において、前記伝搬環境推定手段は、遅延プロファイルより遅延スプレッドを推定し、前記設定時定数制御手段は、前記伝搬環境推定手段により推定された前記遅延スプレッドが長いほど前記測定時間を短く設定する構成を採る。
【００２３】
この構成によれば、前記効果に加えて、遅延スプレッドが長い場合には、短い平均化時定数を設定することにより通信品質を測定する時間を短くすることができ、遅延スプレッドが短い場合には、長い平均化時定数を設定することにより通信品質を測定する時間を長くすることができるので、遅延スプレッドの広がりに応じた正確な通信品質を測定することができる。
【００２４】
本発明の無線通信装置は、前記構成において、前記伝搬環境推定手段は、他のセルの基地局装置からの受信信号の電力密度に対する自セルの基地局装置からの受信信号の電力密度の電力密度比を測定し、前記受信品質報告値決定手段は、前記電力密度比が大きいほど前記しきい値の補正幅を大きくする構成を採る。
【００２５】
この構成によれば、前記効果に加えて、例えば他のセルの基地局装置の受信信号の電力密度に対する自セル内の基地局装置の受信信号の電力密度の電力密度比を求めることにより、自セル内の自局の位置が分かるとともに、自セルの基地局装置に近い場合はマルチパス干渉が強いので補正幅を大きくすることにより激しい伝搬環境の変動に追従させることができ、他のセルの基地局装置に近い場合はマルチパス干渉がそれほど強くないので補正幅を小さくすることにより緩やかな伝搬環境の変動に追従させることができる。これにより、基地局装置との距離に応じた正確な受信品質報告値を選択することができる。
【００２６】
本発明の無線通信装置は、前記構成において、前記伝搬環境推定手段は、他のセルの基地局装置からの受信信号の電力密度に対する自セルの基地局装置からの受信信号の電力密度の電力密度比を測定し、前記設定時定数制御手段は、前記電力密度比が大きいほど前記測定時間を短く設定する構成を採る。
【００２７】
この構成によれば、前記効果に加えて、例えば他のセルの基地局装置の受信信号の電力密度に対する自セル内の基地局装置の受信信号の電力密度の電力密度比を求めることにより、自セル内の自局の位置が分かるとともに、自セルの基地局装置に近い場合はマルチパス干渉が強いので短い平均化時定数を設定することにより通信品質を測定する時間を短くすることができ、遠くの基地局装置である自セルに隣接する他セルの基地局装置に近い場合は、マルチパス干渉がそれほど強くないので長い平均化時定数を設定することにより通信品質を測定する時間を長くすることができる。これにより、基地局装置との距離に応じた正確な通信品質を測定することができる。
【００２８】
本発明の通信端末装置は、前記のいずれかに記載の無線通信装置を具備する構成を採る。
【００２９】
この構成によれば、伝搬環境を推定し、推定した伝搬環境に応じて、受信品質を示す測定値を用いてＣＱＩを選択する際のしきい値の補正幅を適応的に変化させるので、伝搬環境が精度良く反映されていないしきい値の設定による誤ったＣＱＩの選択を防ぐことができ、パケットの再送回数の低減により、伝送効率の向上とシステム容量の増大を図ることができる。
【００３０】
本発明の基地局装置は、前記のいずれかに記載の無線通信装置を具備する構成を採る。
【００３１】
この構成によれば、伝搬環境を推定し、推定した伝搬環境に応じて、受信品質を示す測定値を用いて受信品質報告値を選択する際のしきい値の補正幅を適応的に変化させるので、伝搬環境が精度良く反映されていないしきい値の設定による誤った受信品質報告値の選択を防ぐことができ、パケットの再送回数の低減により、伝送効率の向上とシステム容量の増大を図ることができる。
【００３２】
本発明の受信品質報告方法は、受信信号より伝搬環境推定を行うステップと、推定された伝搬環境状況、及び通信相手との通信品質を示す情報である通信品質情報とに基づいて、しきい値を可変に設定するステップと、前記しきい値と受信品質を示す測定値とを比較することにより受信品質報告値を決定するステップと、決定された前記受信品質報告値の情報を前記通信相手に送信するステップと、を具備するようにした。
【００３３】
この方法によれば、伝搬環境を推定し、推定した伝搬環境に応じて、受信品質を示す測定値を用いて受信品質報告値を選択する際のしきい値の補正幅を適応的に変化させるので、伝搬環境が精度良く反映されていないしきい値の設定による誤った受信品質報告値の選択を防ぐことができ、パケットの再送回数の低減により、伝送効率の向上とシステム容量の増大を図ることができる。
【００３４】
本発明の受信品質報告方法は、前記方法において、前記通信品質情報より通信品質が劣化するほど前記しきい値を受信品質が悪い方向へ補正し、前記通信品質情報より通信品質が良好なほど前記しきい値を受信品質が良い方向へ補正するとともに、推定した伝搬環境状況の変動が激しいほど前記しきい値の補正幅を大きくするようにした。
【００３５】
この方法によれば、前記効果に加えて、例えば基地局装置に対する相対移動速度が大きい場合には、補正幅を大きくして適切なしきい値が設定されるまでの時間を短縮することができ、基地局装置に対する相対移動速度が小さい場合には、補正幅を小さくして僅かな伝搬環境の変動に対する追従性を向上させることができる。
【発明の効果】
【００３６】
本発明によれば、パケットの再送回数の低減により、伝送効率の向上とシステム容量の増大を図ることができる。
【発明を実施するための最良の形態】
【００３７】
本発明の骨子は、通信相手との伝搬環境（相対移動速度）を推定し、推定した伝搬環境と通信品質情報（再送回数情報）とを用いて、受信品質を示す測定値と比較されるしきい値を補正することである。この時、推定した伝搬環境の変動が激しい場合には、推定した伝搬環境が緩やかな場合に較べてしきい値の補正幅を大きくすることである。
【００３８】
以下、本発明の実施の形態について、図面を参照して詳細に説明する。
【００３９】
（実施の形態１）
図１は、本発明の実施の形態１に係る無線通信装置１００の構成を示すブロック図である。
【００４０】
共用器１０２は、アンテナ１０１にて受信した受信信号を受信ＲＦ部１０３へ出力するとともに、送信ＲＦ部１１６から入力した送信データをアンテナ１０１から送信する。
【００４１】
受信ＲＦ部１０３は、共用器１０２から入力した無線周波数の受信信号をベースバンドのディジタル信号に変換して逆拡散部１０４へ出力する。
【００４２】
逆拡散部１０４は、受信ＲＦ部１０３から入力したベースバンド信号に対して逆拡散処理を行い、ＲＡＫＥ合成部１０５及び最大ドップラー周波数（以下「ｆＤ」と記載する）推定部１０９へ出力する。
【００４３】
ＲＡＫＥ合成部１０５は、逆拡散部１０４から入力した逆拡散後の各パスの信号をＲＡＫＥ合成し、合成した信号を復調部１０６及びＳＩＲ測定部１０７へ出力する。
【００４４】
復調部１０６は、ＲＡＫＥ合成部１０５から入力したＲＡＫＥ合成後の信号を復調処理して復調データを得るとともに、復調データを受信品質判定部１０８へ出力する。
【００４５】
ＳＩＲ測定部１０７は、ＲＡＫＥ合成部１０５から入力した逆拡散後の信号から受信品質を示すＳＩＲを測定し、ＣＱＩ選択部１１２へ出力する。
【００４６】
受信品質判定部１０８は、復調部１０６から入力した復調データの品質を所定時間計測し、所定時間経過する毎に所定時間毎の品質が悪く再送が必要となったパケット数の情報、即ち再送回数情報（通信品質情報）をＣＱＩ選択調整部１１１へ出力する。復調データの品質の判定は、受信信号に含まれている誤り検出符号（ＣＲＣ（Cyclic Redundancy Check）等）を復号した結果を用いる。なお、復調データの品質を判定する方法は、誤り検出符号を用いる場合に限らず、任意の方法にて判定することが可能である。
【００４７】
伝搬環境推定手段であるｆＤ推定部１０９は、逆拡散部１０４から入力した逆拡散後の信号を基に下り回線における伝搬環境のうち、ｆＤを推定する。推定されたｆＤは通信端末装置と基地局装置間の相対移動速度に相当し、ｆＤが高いほど相対移動速度が速く伝搬環境の変動が急であることを意味し、ｆＤが低いほど相対移動速度が遅く伝搬環境の変動が緩やかであることを意味する。ｆＤ推定部１０９は、ｆＤ推定結果を調整ステップ制御部１１０へ出力する。なお、ｆＤ推定方法は、特開２００２−１５２０８８号公報に開示されている技術等を用いることが可能である。
【００４８】
調整ステップ制御部１１０は、ｆＤ推定部１０９から入力した伝搬路のｆＤ推定結果を基に、後述するＣＱＩ選択調整部１１１において設定されるしきい値の補正幅を決定し、決定した補正幅情報をＣＱＩ選択調整部１１１に出力する。即ち、調整ステップ制御部１１０は、ｆＤが高いと推定されるときには、伝搬路の変動が急激であるので、緩やかな調整では適切なしきい値が設定されるまでに時間がかかるため、大きな補正幅にする補正幅情報を出力する。一方、調整ステップ制御部１１０は、ｆＤが低いと推定されるときには、緩やかな変動に精度良く追従させるため、小さな補正幅にする補正幅情報を出力する。なお、調整ステップ制御部１１０における調整ステップの決定方法は後述する。
【００４９】
しきい値設定手段であるＣＱＩ選択調整部１１１は、受信品質判定部１０８から入力した再送回数情報と調整ステップ制御部１１０から入力した補正幅情報とより、受信品質報告値であるＣＱＩを決定する際に受信ＳＩＲと比較するしきい値の補正を行う。即ち、ＣＱＩ選択調整部１１１は、再送回数情報より、受信ＳＩＲが高い方へしきい値を補正するのかまたは受信ＳＩＲが低い方へしきい値を補正するのかを決定し、決定した方向へあらかじめ設定されている補正幅（以下「基準補正幅」と記載する）だけしきい値を移動させることを決定する。さらに、ＣＱＩ選択調整部１１１は、基準補正幅に対して、調整ステップ制御部１１０から入力した補正幅情報より、基地局装置との相対移動速度に応じた補正幅を加算または減算することにより、基地局装置との相対移動速度に応じた最終的な補正幅を決定し、決定した最終補正幅情報をＣＱＩ選択部１１２へ出力する。なお、ＣＱＩ選択調整部１１１におけるしきい値の補正方法については後述する。
【００５０】
受信品質報告値決定手段であるＣＱＩ選択部１１２は、受信ＳＩＲとＣＱＩとが関係付けられた受信品質情報を保存した参照テーブルを保有している。この参照テーブルは、あらかじめ一定間隔のしきい値にて受信ＳＩＲが区切られており、しきい値により区切られた範囲毎に異なるＣＱＩが選択されるようになっている。ＣＱＩ選択部１１２は、ＣＱＩ選択調整部１１１から入力した最終補正幅情報より、受信品質情報のしきい値の補正を行う。そして、ＣＱＩ選択部１１２は、ＳＩＲ測定部１０７から入力した受信ＳＩＲを用いて参照テーブルを参照してしきい値と比較することにより、ＣＱＩを選択して多重部１１３へ出力する。
【００５１】
多重部１１３は、ＣＱＩ選択部１１２から入力したＣＱＩと送信データとを多重して変調部１１４へ出力する。
【００５２】
変調部１１４は、多重部１１３から入力したＣＱＩを含む送信データを変調して拡散部１１５へ出力する。
【００５３】
拡散部１１５は、変調部１１４から入力した変調された送信データを拡散処理して送信ＲＦ部１１６へ出力する。
【００５４】
送信ＲＦ部１１６は、拡散部１１５から入力した拡散されたベースバンド周波数の送信データを無線周波数のアナログ信号に変換して共用器１０２へ出力する。なお、一般に、受信品質報告値としてＣＱＩを送信するのは無線通信装置１００を通信端末装置に適用した場合であり、無線通信装置１００を基地局装置に適用した場合には、無線通信装置１００はＣＱＩとは異なる受信品質報告値であって、かつＣＱＩに相当する受信品質報告値を通信端末装置へ送信する。
【００５５】
次に、無線通信装置１００の動作について、図２及び図３を用いて説明する。図２は、無線通信装置１００の動作を示すフロー図であり、図３は、調整ステップ制御部１１０が有するｆＤと調整ステップとを関係付けた補正幅情報を保存する参照テーブルを示すものである。
【００５６】
最初に、ｆＤ推定部１０９は、逆拡散処理された受信信号よりｆＤを推定する（ステップＳＴ２０１）。
【００５７】
次に、調整ステップ制御部１１０は、推定したｆＤが６０Ｈｚよりも小さいか否かを判定する（ステップＳＴ２０２）。
【００５８】
調整ステップ制御部１１０は、ｆＤが６０Ｈｚよりも小さい場合には、図３の補正幅情報を参照することにより、調整ステップＨとして０．１ｄＢを選択する（ステップＳＴ２０３）。
【００５９】
ｆＤが６０Ｈｚよりも小さくない場合には、調整ステップ制御部１１０は、推定したｆＤが１２０Ｈｚよりも小さいか否かを判定する（ステップＳＴ２０４）。
【００６０】
ｆｄが１２０Ｈｚよりも小さい場合には、調整ステップ制御部１１０は、図３の補正幅情報を参照することにより、調整ステップＨとして０．２ｄＢを選択する（ステップＳＴ２０５）。
【００６１】
ｆＤが１２０Ｈｚよりも小さくない場合には、調整ステップ制御部１１０は、図３の補正幅情報を参照することにより、調整ステップＨとして０．５ｄＢを選択する（ステップＳＴ２０６）。
【００６２】
次に、受信品質判定部１０８は、再送回数情報より再送回数が第１のしきい値以上であるか否かを判定する（ステップＳＴ２０７）。
【００６３】
再送回数が第１のしきい値以上である場合、ＣＱＩ選択調整部１１１は、通信品質が劣化しているものと判断し、あらかじめ設定されている基準補正幅に調整ステップＨを加算する（ステップＳＴ２０８）。
【００６４】
そして、ＣＱＩ選択調整部１１１は、ＣＱＩ選択用のしきい値を受信ＳＩＲの高い方向に、基準補正幅に調整ステップＨを加算して得られた補正幅だけ補正する（ステップＳＴ２０９）。
【００６５】
再送回数が第１のしきい値以上でない場合、ＣＱＩ選択調整部１１１は、再送回数が第２のしきい値（第１のしきい値≧第２のしきい値）以下であるか否かを判定する（ステップＳＴ２１０）。再送回数が第２のしきい値以下である場合、ＣＱＩ選択調整部１１１は、あらかじめ設定されている基準補正幅から調整ステップＨを減算する（ステップＳＴ２１１）。
【００６６】
そして、ＣＱＩ選択調整部１１１は、ＣＱＩ選択用のしきい値を受信ＳＩＲの低い方向に、基準補正幅から調整ステップＨを減算して得られた補正幅だけ補正する（ステップＳＴ２１２）。
【００６７】
一方、ステップＳＴ２１０において、再送回数が第２のしきい値以下でない場合、ＣＱＩ選択調整部１１１は、しきい値の補正は行わない。即ち、ＣＱＩ選択調整部１１１は、再送回数が第１のしきい値未満で、かつ第２のしきい値より大きい場合には、伝搬環境の変動が急激ではないとともに緩やかでもないので、しきい値の補正は行わない。
【００６８】
次に、ＳＩＲ測定部１０７は、受信信号より受信ＳＩＲを測定する（ステップＳＴ２１３）。
【００６９】
次に、ＣＱＩ選択部１１２は、測定された受信ＳＩＲと補正された参照テーブルのしきい値とを比較することにより、測定した受信ＳＩＲに対応するＣＱＩを選択する（ステップＳＴ２１４）。
【００７０】
次に、ＣＱＩ選択部１１２において、ｆＤに応じてしきい値の補正幅を変える方法について、図４を用いてさらに詳細に説明する。
【００７１】
時刻ｔ１において、ｆＤが１３０Ｈｚであり、かつ再送回数がしきい値未満であるものとする。この時、ＣＱＩ選択調整部１１１は、通信品質が良好であるものと判断し、受信ＳＩＲの低い方向（図４の下方向）へしきい値を補正することを決定する。そして、ＣＱＩ選択調整部１１１は、ｆＤが１３０Ｈｚであることより、図３の参照テーブルを参照して調整ステップＨとして０．５ｄＢを選択し、再送回数がしきい値未満であることより基準補正幅は０ｄＢであるので、最終補正幅情報として０．５ｄＢをＣＱＩ選択部１１２へ出力する。ＣＱＩ選択部１１２は、現在のしきい値の設定値である２ｄＢと１ｄＢの各々について、０．５ｄＢ小さい１．５ｄＢと０．５ｄＢの位置に、新たにしきい値を設定する。
【００７２】
時刻ｔ２において、ｆＤが３０Ｈｚであり、かつ再送回数がしきい値未満であるものとする。この時、ＣＱＩ選択調整部１１１は、通信品質が良好であるものと判断し、受信ＳＩＲの低い方向へしきい値を補正することを決定する。そして、ＣＱＩ選択調整部１１１は、ｆＤが３０Ｈｚであることより、図３の参照テーブルを参照して調整ステップＨとして０．１ｄＢを選択し、基準補正幅は０ｄＢであるので最終補正幅情報として０．１ｄＢをＣＱＩ選択部１１２へ出力する。ＣＱＩ選択部１１２は、現在のしきい値の設定値である１．５ｄＢと０．５ｄＢの各々について、０．１ｄＢ小さい１．４ｄＢと０．４ｄＢの位置に、新たにしきい値を設定する。
【００７３】
時刻ｔ３において、ｆＤが１４０Ｈｚであり、かつ再送回数がしきい値以上であるものとする。この時、ＣＱＩ選択調整部１１１は、通信品質が劣化したものと判断し、受信ＳＩＲの高い方向（図４の上方向）へしきい値を補正することを決定する。そして、ＣＱＩ選択調整部１１１は、ｆＤが１４０Ｈｚであることより、図３の参照テーブルを参照して調整ステップＨとして０．５ｄＢを選択し、基準補正幅は０．１ｄＢであるので最終補正幅情報として０．６ｄＢをＣＱＩ選択部１１２へ出力する。ＣＱＩ選択部１１２は、現在のしきい値の設定値である１．４ｄＢと０．４ｄＢの各々について、０．６ｄＢ大きい２ｄＢと１ｄＢの位置に、新たにしきい値を設定する。
【００７４】
時刻ｔ４において、ｆＤが１０Ｈｚであり、かつ再送回数がしきい値以上であるものとする。この時、ＣＱＩ選択調整部１１１は、通信品質が劣化しているものと判断し、受信ＳＩＲの高い方向へしきい値を補正することを決定する。そして、ＣＱＩ選択調整部１１１は、ｆＤが１０Ｈｚであることより、図３の参照テーブルを参照して調整ステップＨとして０．１ｄＢを選択し、基準補正幅は０．１ｄＢであるので最終補正幅情報として０．２ｄＢをＣＱＩ選択部１１２へ出力する。ＣＱＩ選択部１１２は、現在のしきい値の設定値である２ｄＢと１ｄＢの各々について、０．２ｄＢ大きい２．２ｄＢと１．２ｄＢの位置に、新たにしきい値を設定する。
【００７５】
時刻ｔ６において、ｆＤが０Ｈｚであり、かつ再送回数がしきい値以上であるものとする。この時、ＣＱＩ選択調整部１１１は、通信品質が劣化しているものと判断し、受信ＳＩＲの高い方向へしきい値を補正することを決定する。そして、ＣＱＩ選択調整部１１１は、ｆＤが０Ｈｚであることより、図３の参照テーブルを参照して調整ステップＨとして０．１ｄＢを選択し、基準補正幅は０．１ｄＢであるので最終補正幅情報として０．２ｄＢをＣＱＩ選択部１１２へ出力する。ＣＱＩ選択部１１２は、現在のしきい値の設定値である２．２ｄＢと１．２ｄＢの各々について、０．２ｄＢ大きい２．４ｄＢと１．４ｄＢの位置に、新たにしきい値を設定する。
【００７６】
図４において、時刻ｔ０〜時刻ｔ１の間にＣＱＩ＃３を選択している場合、時刻ｔ１〜時刻ｔ３の間にて測定された受信ＳＩＲが２ｄＢ未満になっても、ＣＱＩ＃２とＣＱＩ＃３との間のしきい値は低く設定されているので、ＣＱＩ＃３を選択し続けることができる。さらに、時刻ｔ１〜時刻ｔ２の間においては、基地局装置に対する相対移動速度が大きくなるが、相対移動速度に応じてしきい値の補正幅を大きくすることにより、基地局装置に対する相対移動速度に追従したしきい値を設定することができるので、時刻ｔ１〜時刻ｔ２においても確実にＣＱＩ＃３を選択し続けることができる。
【００７７】
一方、時刻ｔ６において、測定された受信ＳＩＲが小さくなった場合は、受信ＳＩＲが２ｄＢに低下する前の２．４ｄＢにてＣＱＩ＃２を選択するので、受信品質が劣化し始めると直ちにＣＱＩ＃２を選択することができ、その時々の受信品質を正確に反映したＣＱＩを基地局装置へ送信することができる。さらに、時刻ｔ６において、基地局装置に対する相対移動速度が０の場合は、補正幅を小さくするので、測定された受信ＳＩＲの僅かな変化に対しても正確なＣＱＩを選択することができる。
【００７８】
因みに、ＭＣＳは、数種類の変調方式、数十種類の符号化率及び数十種類の多重コード数等の組み合わせを表すものであり、組み合わせに多数のバリエーションがある。したがって、ＭＣＳを選択する際、何らかの指標に基づくしきい値により一意にＭＣＳを選択することは困難である。一方、ＣＱＩは、ＭＣＳのサブセットであり、受信品質順に数十段階設定されているので、ＣＱＩを選択するためのしきい値を設定することは比較的容易であり、さらにしきい値を調整することは効果的である。
【００７９】
このように、本実施の形態１によれば、相対移動速度が大きい場合にはしきい値の補正幅を大きくし、相対移動速度が小さい場合にはしきい値の補正幅を小さくすることにより、ＣＱＩを選択するためのしきい値の補正幅を伝搬環境に応じて適応的に設定することができるので、誤ったＣＱＩの選択により再送が繰り返されることを防ぐことができて、パケットの再送回数の低減により、伝送効率の向上とシステム容量の増大を図ることができる。
【００８０】
（実施の形態２）
図５は、本発明の実施の形態２に係る無線通信装置５００の構成を示すブロック図である。なお、図５において、図１と同一構成である部分には同一の符号を付してその説明は省略する。
【００８１】
ＣＱＩ選択調整部１１１は、ＣＱＩ選択部１１２から入力したＣＱＩ選択情報より、ＣＱＩ選択部１１２が選択したＣＱＩを認識する。そして、ＣＱＩ選択調整部１１１は、受信品質判定部１０８から入力した再送回数情報と調整ステップ制御部１１０から入力した補正幅情報とより、選択したＣＱＩと選択したＣＱＩの次の下位のＣＱＩとのしきい値のみの補正を行う。即ち、ＣＱＩ選択調整部１１１は、選択したＣＱＩと選択したＣＱＩの次の下位のＣＱＩとのしきい値に関して、再送回数情報より、受信ＳＩＲが高い方へしきい値を補正するのかまたは受信ＳＩＲが低い方へしきい値を補正するのかを決定し、決定した方向へ基準補正幅だけしきい値を移動させることを決定する。さらに、ＣＱＩ選択調整部１１１は、基準補正幅に対して、調整ステップ制御部１１０から入力した補正幅情報より、基地局装置との相対移動速度に応じた補正幅を加算または減算することにより、基地局装置との相対移動速度に応じた最終的な補正幅を決定し、決定した最終補正幅情報をＣＱＩ選択部１１２へ出力する。なお、ＣＱＩ選択調整部１１１におけるしきい値の補正方法については後述する。
【００８２】
ＣＱＩ選択部１１２は、受信ＳＩＲとＣＱＩとが関係付けられた受信品質情報を保存した参照テーブルを保有している。この参照テーブルは、あらかじめ一定間隔のしきい値にて受信ＳＩＲが区切られており、しきい値により区切られた範囲毎に異なるＣＱＩが選択されるようになっている。ＣＱＩ選択部１１２は、ＣＱＩ選択調整部１１１から入力した最終補正幅情報より、前回選択したＣＱＩと前回選択したＣＱＩの次の下位のＣＱＩとの間の受信品質情報のしきい値の補正を行う。そして、ＣＱＩ選択部１１２は、ＳＩＲ測定部１０７から入力した受信ＳＩＲを用いて参照テーブルを参照してしきい値と比較することにより、ＣＱＩを選択して多重部１１３へ出力するとともに、選択したＣＱＩの情報であるＣＱＩ選択情報をＣＱＩ選択調整部１１１へ出力する。
【００８３】
次に、ＣＱＩ選択部１１２において、ｆＤに応じてしきい値の補正幅を変える方法について、図６を用いて説明する。
【００８４】
時刻ｔ１において、ｆＤが１３０Ｈｚであり、かつ再送回数がしきい値未満であるものとする。この時、ＣＱＩ選択調整部１１１は、ＣＱＩ選択部１１２から入力した選択ＣＱＩ情報より、前回ＣＱＩ＃３を選択したことを認識するとともに、通信品質が良好であるものと判断し、受信ＳＩＲの低い方向（図４の下方向）へしきい値を補正することを決定する。そして、ＣＱＩ選択調整部１１１は、ｆＤが１３０Ｈｚであることより、図３の参照テーブルを参照して調整ステップＨとして０．５ｄＢを選択し、基準補正幅は０ｄＢであるので前回選択したＣＱＩ＃２と前回選択したＣＱＩの次の下位のＣＱＩ＃３とのしきい値Ｓ１の最終補正幅情報として０．５ｄＢをＣＱＩ選択部１１２へ出力する。ＣＱＩ選択部１１２は、ＣＱＩ＃３とＣＱＩ＃２との間のしきい値として、現在のしきい値の設定値である２ｄＢよりも０．５ｄＢ小さい１．５ｄＢの位置に、新たにしきい値を設定する。なお、ＣＱＩは、時刻ｔ１〜ｔ６の各時刻以外の時刻においても選択されるものとする。
【００８５】
時刻ｔ２において、ｆＤが３０Ｈｚであり、かつ再送回数がしきい値未満であるものとする。この時、ＣＱＩ選択調整部１１１は、ＣＱＩ選択部１１２から入力した選択ＣＱＩ情報より、前回ＣＱＩ＃３を選択したことを認識するとともに、通信品質が良好であるものと判断し、受信ＳＩＲの低い方向へしきい値を補正することを決定する。そして、ＣＱＩ選択調整部１１１は、ｆＤが３０Ｈｚであることより、図３の参照テーブルを参照して調整ステップＨとして０．１ｄＢを選択し、基準補正幅は０ｄＢであるのでＣＱＩ＃２とＣＱＩ＃３とのしきい値Ｓ１の最終補正幅情報として０．１ｄＢをＣＱＩ選択部１１２へ出力する。ＣＱＩ選択部１１２は、ＣＱＩ＃３とＣＱＩ＃２との間のしきい値として、現在のしきい値の設定値である１．５ｄＢよりも０．１ｄＢ小さい１．４ｄＢの位置に、新たにしきい値を設定する。
【００８６】
時刻ｔ３において、ｆＤが１４０Ｈｚであり、かつ再送回数がしきい値以上であるものとする。この時、ＣＱＩ選択調整部１１１は、ＣＱＩ選択部１１２から入力したＣＱＩ選択情報より、前回ＣＱＩ＃３を選択したことを認識するとともに、通信品質が劣化したものと判断し、受信ＳＩＲの高い方向（図４の上方向）へしきい値を補正することを決定する。そして、ＣＱＩ選択調整部１１１は、ｆＤが１４０Ｈｚであることより、図３の参照テーブルを参照して調整ステップＨとして０．５ｄＢを選択し、基準補正幅は０．１ｄＢであるのでＣＱＩ＃２とＣＱＩ＃３とのしきい値Ｓ１の最終補正幅情報として０．６ｄＢをＣＱＩ選択部１１２へ出力する。ＣＱＩ選択部１１２は、ＣＱＩ＃３とＣＱＩ＃２との間のしきい値として、現在のしきい値の設定値である１．４ｄＢよりも０．６ｄＢ大きい２ｄＢの位置に、新たにしきい値を設定する。
【００８７】
時刻ｔ４において、ｆＤが１０Ｈｚであり、かつ再送回数がしきい値以上であるものとする。この時、ＣＱＩ選択調整部１１１は、ＣＱＩ選択部１１２から入力した選択ＣＱＩ情報より、前回ＣＱＩ＃３を選択したことを認識するとともに、通信品質が劣化しているものと判断し、受信ＳＩＲの高い方向へしきい値を補正することを決定する。そして、ＣＱＩ選択調整部１１１は、ｆＤが１０Ｈｚであることより、図３の参照テーブルを参照して調整ステップＨとして０．１ｄＢを選択し、基準補正幅は０．１ｄＢであるのでＣＱＩ＃２とＣＱＩ＃３とのしきい値Ｓ１の最終補正幅情報として０．２ｄＢをＣＱＩ選択部１１２へ出力する。ＣＱＩ選択部１１２は、ＣＱＩ＃３とＣＱＩ＃２との間のしきい値として、現在のしきい値の設定値である２ｄＢよりも０．２ｄＢ大きい２．２ｄＢの位置に、新たにしきい値を設定する。
【００８８】
時刻ｔ５において、ｆＤが１０Ｈｚであり、かつ再送回数がしきい値以上であるものとする。この時、ＣＱＩ選択調整部１１１は、ＣＱＩ選択部１１２から入力した選択ＣＱＩ情報より、前回ＣＱＩ＃２を選択したことを認識するとともに、通信品質が劣化しているものと判断し、受信ＳＩＲの高い方向へしきい値を補正することを決定する。そして、ＣＱＩ選択調整部１１１は、ｆＤが１０Ｈｚであることより、図３の参照テーブルを参照して調整ステップＨとして０．１ｄＢを選択し、基準補正幅は０．１ｄＢであるのでＣＱＩ＃１とＣＱＩ＃２とのしきい値Ｓ２の最終補正幅情報として０．２ｄＢをＣＱＩ選択部１１２へ出力する。ＣＱＩ選択部１１２は、前回選択したＣＱＩ＃２と前回選択したＣＱＩの次の下位のＣＱＩ＃１との間のしきい値として、現在のしきい値の設定値である１ｄＢよりも０．２ｄＢ大きい１．２ｄＢの位置に、新たにしきい値を設定する。
【００８９】
時刻ｔ６において、ｆＤが０Ｈｚであり、かつ再送回数がしきい値以上であるものとする。この時、ＣＱＩ選択調整部１１１は、ＣＱＩ選択部１１２から入力した選択ＣＱＩ情報より、前回ＣＱＩ＃２を選択したことを認識するとともに、通信品質が劣化しているものと判断し、受信ＳＩＲの高い方向へしきい値を補正することを決定する。そして、ＣＱＩ選択調整部１１１は、ｆＤが０Ｈｚであることより、図３の参照テーブルを参照して調整ステップＨとして０．１ｄＢを選択し、基準補正幅は０．１ｄＢであるのでＣＱＩ＃１とＣＱＩ＃２とのしきい値Ｓ２の最終補正幅情報として０．２ｄＢをＣＱＩ選択部１１２へ出力する。ＣＱＩ選択部１１２は、ＣＱＩ＃２とＣＱＩ＃１との間のしきい値として、現在のしきい値の設定値である１．２ｄＢよりも０．２ｄＢ大きい１．４ｄＢの位置に、新たにしきい値を設定する。
【００９０】
このように、本実施の形態２によれば、上記実施の形態１の効果に加えて、前回選択したＣＱＩと前回選択したＣＱＩの次の下位のＣＱＩとのしきい値のみを、伝搬環境に応じて適応的に補正するので、受信品質の変動が激しくなく、かつ受信ＳＩＲが低い場合に、誤って低いＣＱＩを選択してしまうことを防ぐことができる。また、受信品質の変動が激しく、かつ受信ＳＩＲが低い場合に、確実に低いＣＱＩを選択することができる。また、本実施の形態２によれば、ＣＱＩ選択に用いるしきい値のみを補正するので、しきい値を補正する処理を間単にすることができる。特に、ＨＳＤＰＡにおいて、受信品質に応じて３０種類のＣＱＩを用いる場合には、２９個のしきい値の内の１個のしきい値を補正するだけで良いので、ＨＳＤＰＡにおけるしきい値を補正する際の処理を極めて簡単にすることができる。
【００９１】
なお、本実施の形態２において、前回選択したＣＱＩと前回選択したＣＱＩの次の下位のＣＱＩとの間のしきい値のみを適応的に補正することとしたが、これに限らず、前回選択したＣＱＩと前回選択したＣＱＩの次の上位のＣＱＩとの間のしきい値のみを適応的に補正しても良い。この場合には、受信品質の変動が激しくなく、かつ受信ＳＩＲが高い場合に、高いＣＱＩを早期に選択することができるとともに、受信品質の変動が激しく、かつ受信ＳＩＲが高い場合に、低いＣＱＩを早期に選択することができる。さらに、本実施の形態２において、前回選択したＣＱＩと前回選択したＣＱＩの前後のＣＱＩとのしきい値のみを適応的に補正するようにしても良い。
【００９２】
（実施の形態３）
図７は、本発明の実施の形態３に係る無線通信装置７００の構成を示すブロック図である。
【００９３】
本実施の形態３に係る無線通信装置７００は、図１に示す実施の形態１に係る無線通信装置１００において、図７に示すように、マルチパス推定部７０１、ジオメトリ推定部７０２及び設定時定数制御部７０３を追加する。なお、図７において、図１と同一構成である部分には同一の符号を付してその説明は省略する。
【００９４】
調整ステップ制御部１１０は、ｆＤ推定部１０９から入力したｆＤ推定結果、マルチパス推定部７０１から入力した遅延スプレッド情報及びジオメトリ推定部７０２から入力したジオメトリ情報より、ＣＱＩ選択調整部１１１において設定されるしきい値の補正幅を決定し、決定した補正幅情報をＣＱＩ選択調整部１１１に出力する。即ち、調整ステップ制御部１１０は、ｆＤが高いと推定されるときには、伝搬路の変動が急激であるので、緩やかな調整では適切なしきい値が設定されるまでに時間がかかるため、大きな補正幅の係数を選択するとともに、ｆＤが低いと推定されるときには、緩やかな変動に精度良く追従させるため、小さな補正幅の係数を選択する。さらに、調整ステップ制御部１１０は、推定した遅延スプレッドの広がりに応じた係数を選択するとともに、推定したジオメトリに応じた係数を選択し、選択した各係数をｆＤに応じて選択した係数に乗算することにより調整幅を計算する。そして、調整ステップ制御部１１０は、計算した調整幅を調整幅情報としてＣＱＩ選択調整部１１１へ出力する。なお、調整ステップ制御部１１０における調整ステップの決定方法は後述する。
【００９５】
伝搬環境推定手段であるマルチパス推定部７０１は、逆拡散部１０４から入力した逆拡散された受信信号より遅延プロファイルを作成し、作成した遅延プロファイルより遅延スプレッドを推定し、推定した遅延スプレッド情報をジオメトリ推定部７０２、設定時定数制御部７０３及び調整ステップ制御部１１０へ出力する。ここで、遅延スプレッドが長いほど遅延波の影響が強いため、マルチパス干渉により伝搬環境が変動する可能性が高い。
【００９６】
伝搬環境推定手段であるジオメトリ推定部７０２は、受信ＲＦ部１０３から入力した総受信信号、逆拡散部１０４から入力した逆拡散された受信信号及びマルチパス推定部７０１から入力したマルチパス推定結果より、セル内における無線通信装置７００の位置を表す電力比であるジオメトリを測定し、測定したジオメトリ情報を設定時定数制御部７０３及び調整ステップ制御部１１０へ出力する。ここで、ジオメトリは、式（１）より求めることができる。
【００９７】
【数１】
2005064947.tif 000003
【００９８】
無線通信装置７００が、図示しない自セルの基地局装置に近づくほど自セルの基地局装置からの受信信号の電力密度が大きくなるとともに他のセルの基地局装置からの受信信号の電力密度は小さくなるので、ジオメトリの値は大きくなる。一方、無線通信装置７００が、自セルの基地局装置から遠ざかってセル端に近づくほど自セルの基地局装置からの受信信号の電力密度が小さくなるとともに他のセルの基地局装置からの受信信号の電力密度は大きくなるので、ジオメトリの値は小さくなる。ジオメトリが大きい場合には、自セルのマルチパス干渉が強く、伝搬環境が変動する可能性が高い。
【００９９】
また、ジオメトリは、式（２）より求めることもできる。
【０１００】
【数２】
2005064947.tif 000004
【０１０１】
ただし、セルラ移動体通信においては、通常の環境では受信機熱雑音に比較して干渉電力が支配的であるため、式（１）の計算結果と式（２）の計算結果は、ほぼ同じ値になる。
【０１０２】
設定時定数制御部７０３は、ｆＤ推定部１０９から入力したｆＤ推定結果、マルチパス推定部７０１から入力した遅延スプレッド情報及びジオメトリ推定部７０２から入力したジオメトリ情報より、受信品質の判定に用いる平均化時定数を決定し、決定した平均化時定数情報を受信品質判定部１０８へ出力する。即ち、設定時定数制御部７０３は、伝搬環境が変動する可能性が高い場合には平均化時定数を短くし、伝搬環境が変動する可能性が低い場合には平均化時定数を長くする。
【０１０３】
受信品質判定部１０８は、設定時定数制御部７０３から入力した平均化時定数を用いることにより設定した測定時間内の再送回数を測定し、測定時間が経過する毎に測定した再送回数情報をＣＱＩ選択調整部１１１へ出力する。
【０１０４】
次に、無線通信装置７００の動作について説明する。最初に、設定時定数を設定する動作を除いた無線通信装置７００の動作について、図８〜図１２を用いて説明する。図８及び図９は、無線通信装置７００の動作を示すフロー図であり、図１０は、ｆＤと調整ステップ基本値αとを関係付けた調整ステップ基本値情報を保存する参照テーブルを示すものであり、図１１は、マルチパス推定部７０１が有する遅延スプレッドと係数βとを関係付けた遅延スプレッド情報を保存する参照テーブルを示すものであり、図１２は、ジオメトリ推定部７０２が有するジオメトリと係数γとを関係付けたジオメトリ情報を保存する参照テーブルを示すものである。
【０１０５】
最初に、ｆＤ推定部１０９は、逆拡散処理された受信信号よりｆＤを推定する（ステップＳＴ８０１）。
【０１０６】
次に、調整ステップ制御部１１０は、推定したｆＤが６０Ｈｚよりも小さいか否かを判定する（ステップＳＴ８０２）。
【０１０７】
調整ステップ制御部１１０は、ｆＤが６０Ｈｚよりも小さい場合には、図１０の調整ステップ基本値情報を参照することにより、調整ステップ基本値αとして０．１ｄＢを選択する（ステップＳＴ８０３）。
【０１０８】
ｆＤが６０Ｈｚよりも小さくない場合には、調整ステップ制御部１１０は、推定したｆＤが１２０Ｈｚよりも小さいか否かを判定する（ステップＳＴ８０４）。
【０１０９】
ｆｄが１２０ｈｚよりも小さい場合には、調整ステップ制御部１１０は、図１０の調整ステップ基本値情報を参照することにより、調整ステップ基本値αとして０．２ｄＢを選択する（ステップＳＴ８０５）。
【０１１０】
ｆＤが１２０Ｈｚよりも小さくない場合には、調整ステップ制御部１１０は、図１０の調整ステップ基本値情報を参照することにより、調整ステップ基本値αとして０．５ｄＢを選択する（ステップＳＴ８０６）。
【０１１１】
次に、調整ステップ制御部１１０は、推定された遅延スプレッドが５００ｎｓよりも小さいか否かを判定する（ステップＳＴ８０７）。
【０１１２】
推定された遅延スプレッドが５００ｎｓよりも小さい場合には、調整ステップ制御部１１０は、図１１の遅延スプレッド情報を参照することにより、係数βとして０．７を選択する（ステップＳＴ８０８）。
【０１１３】
推定された遅延スプレッドが５００ｎｓよりも小さくない場合には、調整ステップ制御部１１０は、図１１の遅延スプレッド情報を参照することにより、係数βとして１．３を選択する（ステップＳＴ８０９）。
【０１１４】
次に、調整ステップ制御部１１０は、推定したジオメトリが５ｄＢよりも小さいか否かを判定する（ステップＳＴ８１０）。
【０１１５】
推定したジオメトリが５ｄＢよりも小さい場合には、調整ステップ制御部１１０は、図１２のジオメトリ情報を参照することにより、係数γとして０．７を選択する（ステップＳＴ８１１）。
【０１１６】
推定したジオメトリが５ｄＢよりも小さくない場合には、調整ステップ制御部１１０は、図１２のジオメトリ情報を参照することにより、係数γとして１．３を選択する（ステップＳＴ８１２）。
【０１１７】
次に、調整ステップ制御部１１０は、調整ステップ基本値αと係数βと係数γを乗算することにより調整ステップＨを求める（ステップＳＴ８１３）。そして、求めた調整ステップＨを補正幅情報としてＣＱＩ選択調整部１１１へ出力する。
【０１１８】
次に、受信品質判定部１０８は、再送回数情報より再送回数が第１のしきい値以上であるか否かを判定する（ステップＳＴ８１４）。
【０１１９】
再送回数が第１のしきい値以上である場合、ＣＱＩ選択調整部１１１は、通信品質が劣化しているものと判断し、あらかじめ設定されている基準補正幅に調整ステップＨを加算する（ステップＳＴ８１５）。そして、ＣＱＩ選択調整部１１１は、ＣＱＩ選択用のしきい値を受信ＳＩＲの高い方向に、基準補正幅に調整ステップＨを加算して得られた補正幅だけ補正する（ステップＳＴ８１６）。
【０１２０】
再送回数が第１のしきい値以上でない場合、ＣＱＩ選択調整部１１１は、再送回数が第２のしきい値（第１のしきい値≧第２のしきい値）以下であるか否かを判定する（ステップＳＴ８１７）。再送回数が第２のしきい値以下である場合、ＣＱＩ選択調整部１１１は、あらかじめ設定されている基準補正幅から調整ステップＨを減算する（ステップＳＴ８１８）。そして、ＣＱＩ選択調整部１１１は、ＣＱＩ選択用のしきい値を受信ＳＩＲの低い方向に、基準補正幅から調整ステップＨを減算して得られた補正幅だけ補正する（ステップＳＴ８１９）。
【０１２１】
一方、ステップＳＴ８１７において、再送回数が第２のしきい値以下でない場合、ＣＱＩ選択調整部１１１は、しきい値の補正は行わない。即ち、ＣＱＩ選択調整部１１１は、再送回数が第１のしきい値未満で、かつ第２のしきい値より大きい場合には、伝搬環境の変動が急激ではないとともに緩やかでもないので、しきい値の補正は行わない。
【０１２２】
次に、ＳＩＲ測定部１０７は、受信信号より受信ＳＩＲを測定する（ステップＳＴ８２０）。
【０１２３】
次に、ＣＱＩ選択部１１２は、測定された受信ＳＩＲと補正された参照テーブルのしきい値とを比較することにより、測定した受信ＳＩＲに対応するＣＱＩを選択する（ステップＳＴ８２１）。
【０１２４】
これにより調整ステップ制御部１１０は、ｆＤが大きいことにより基地局装置に対する相対移動速度が大きいと判断できる場合、遅延スプレッドが広がることにより遅延波の影響が大きいと判断できる場合、またはジオメトリが大きいことにより自セルマルチパス干渉が強いと判断できる場合には、ＣＱＩ選択の際のしきい値の補正幅を大きくして、急激な伝搬路の変動に追従させることができる。一方、調整ステップ制御部１１０は、ｆＤが小さいことにより基地局装置に対する相対移動速度が小さいと判断できる場合、遅延スプレッドが広がっていないことにより遅延波の影響が小さいと判断できる場合、またはジオメトリが小さいことにより自セル以外の基地局装置と通信しているものと判断できる場合には、ＣＱＩ選択の際のしきい値の補正幅を小さくして、緩やかな伝搬路の変動に精度良く追従させることができる。
【０１２５】
次に、設定時定数を設定する際の無線通信装置７００の動作について、図１３及び図１４を用いて説明する。図１３は、設定時定数を求める際の無線通信装置７００の動作を示すフロー図、図１４は、ｆＤと設定時定数基本値ａとを関係付けた設定時定数情報を保存している参照テーブルを示すものである。
【０１２６】
最初に、ｆＤ推定部１０９は、逆拡散処理された受信信号よりｆＤを推定する（ステップＳＴ１３０１）。
【０１２７】
次に、設定時定数制御部７０３は、推定したｆＤが６０Ｈｚよりも小さいか否かを判定する（ステップＳＴ１３０２）。
【０１２８】
設定時定数制御部７０３は、ｆＤが６０Ｈｚよりも小さい場合には、図１４の設定時定数情報を参照することにより、設定時定数基本値ａとして１／１０，０００を選択する（ステップＳＴ１３０３）。
【０１２９】
ｆＤが６０Ｈｚよりも大きくない場合には、設定時定数制御部７０３は、推定したｆＤが１２０Ｈｚよりも小さいか否かを判定する（ステップＳＴ１３０４）。
【０１３０】
ｆｄが１２０Ｈｚよりも小さい場合には、設定時定数制御部７０３は、図１４の設定時定数情報を参照することにより、設定時定数基本値ａとして１／２０，０００を選択する（ステップＳＴ１３０５）。
【０１３１】
ｆＤが１２０Ｈｚよりも小さくない場合には、設定時定数制御部７０３は、図１４の設定時定数情報を参照することにより、設定時定数基本値ａとして１／５０，０００を選択する（ステップＳＴ１３０６）。
【０１３２】
次に、設定時定数制御部７０３は、推定された遅延スプレッドが５００ｎｓよりも小さいか否かを判定する（ステップＳＴ１３０７）。
【０１３３】
推定された遅延スプレッドが５００ｎｓよりも小さい場合には、設定時定数制御部７０３は、図１１の遅延スプレッド情報を参照することにより、係数βとして０．７を選択する（ステップＳＴ１３０８）。
【０１３４】
推定された遅延スプレッドが５００ｎｓよりも小さくない場合には、設定時定数制御部７０３は、図１１の遅延スプレッド情報を参照することにより、係数βとして１．３を選択する（ステップＳＴ１３０９）。
【０１３５】
次に、設定時定数制御部７０３は、推定したジオメトリが５ｄＢよりも小さいか否かを判定する（ステップＳＴ１３１０）。
【０１３６】
推定したジオメトリが５ｄＢよりも小さい場合には、設定時定数制御部７０３は、図１２のジオメトリ情報を参照することにより、係数γとして０．７を選択する（ステップＳＴ１３１１）。
【０１３７】
推定したジオメトリが５ｄＢよりも小さくない場合には、設定時定数制御部７０３は、図１２のジオメトリ情報を参照することにより、係数γとして１．３を選択する（ステップＳＴ１３１２）。
【０１３８】
次に、設定時定数制御部７０３は、設定時定数基本値ａと係数βと係数γを除算することにより平均化時定数を求める（ステップＳＴ１３１３）。そして、設定時定数制御部７０３は、求めた平均化時定数を平均化時定数情報として受信品質判定部１０８へ出力する。
【０１３９】
これにより設定時定数制御部７０３は、ｆＤが大きいことにより基地局装置に対する相対移動速度が大きいと判断できる場合、遅延スプレッドが広がることにより遅延波の影響が大きいと判断できる場合、またはジオメトリが大きいことにより自セルのマルチパス干渉が強いと判断できる場合には、平均化時定数を小さくして受信品質を判定する際の平均化時間を短くすることができる。一方、設定時定数制御部７０３は、ｆＤが小さいことにより基地局装置に対する相対移動速度が小さいと判断できる場合、遅延スプレッドが広がっていないことにより遅延波の影響が小さいと判断できる場合、またはジオメトリが小さいことにより他セルの基地局装置と通信していると判断できる場合には、平均化時定数を大きくして受信品質を判定する際の平均化時間を長くすることができる。
【０１４０】
このように、本実施の形態３によれば、上記実施の形態１の効果に加えて、遅延スプレッド情報及びジオメトリ情報を用いて伝搬環境に応じて補正幅を適応的に変化させるので、遅延波の影響が強い場合または自セルのマルチパス干渉が強い場合にしきい値の補正幅を大きくすることができることにより、ＣＱＩ選択の際のしきい値を極めて精度良く設定することができる。また、本実施の形態３によれば、遅延スプレッド情報及びジオメトリ情報に応じて平均化時定数を変化させるので、遅延波の影響が強い場合または自セルのマルチパス干渉が強い場合に平均化時定数を小さくすることができることにより、極めて精度良く受信品質を判定することができる。
【０１４１】
なお、本実施の形態３において、ｆＤの推定結果を用いて選択した調整ステップ基本値αに対して、遅延スプレッドの推定結果及びジオメトリの推定結果を用いて選択した係数を乗算することとしたが、これに限らず、遅延スプレッドを用いて選択した調整ステップ基本値に対して、ｆＤの推定結果及びジオメトリの推定結果を用いて選択した係数を乗算するようにしても良く、あるいはジオメトリの推定結果を用いて選択した調整ステップ基本値に対して、ｆＤの推定結果及び遅延スプレッドの推定結果を用いて選択した係数を乗算するようにしても良い。
【０１４２】
また、本実施の形態３において、調整ステップ基本値αと係数β、γとを乗算することとしたが、これに限らず、調整ステップ基本値αに対して係数β、γを加減算しても良いし、若しくは調整ステップ基本値αと係数β、γとを除算するようにしても良いし、任意の計算方法を適用することができる。また、本実施の形態３において、設定時定数基本値ａと係数β、γとを除算することとしたが、これに限らず、設定時定数基本値ａに対して係数β、γを加減算しても良いし、若しくは設定時定数基本値ａと係数β、γとを乗算するようにしても良いし、任意の計算方法を適用することができる。また、本実施の形態３において、伝搬環境の推定にジオメトリを用いることとしたが、これに限らず、無線通信装置の位置に対応して値が変化する任意のパラメータを用いて伝搬環境を推定することができる。
【０１４３】
さらに、本実施の形態３において、マルチパス推定結果として遅延スプレッドを用いたが、これに限らず、作成した遅延プロファイルから検出されたパスの数などを適用することができる。
【０１４４】
（実施の形態４）
図１５は、本発明の実施の形態４に係る無線通信装置の動作を示すフロー図である。なお、無線通信装置の構成は、図１と同一構成であるので、その説明は省略する。
【０１４５】
最初に、ｆＤ推定部１０９は、逆拡散処理された受信信号よりｆＤを推定する（ステップＳＴ１５０１）。
【０１４６】
次に、調整ステップ制御部１１０は、推定したｆＤが６０Ｈｚよりも小さいか否かを判定する（ステップＳＴ１５０２）。
【０１４７】
調整ステップ制御部１１０は、ｆＤが６０Ｈｚよりも小さい場合には、図３の補正幅情報を参照することにより、調整ステップＨとして０．１ｄＢを選択する（ステップＳＴ１５０３）。
【０１４８】
ｆＤが６０Ｈｚよりも小さくない場合には、調整ステップ制御部１１０は、推定したｆＤが１２０Ｈｚよりも小さいか否かを判定する（ステップＳＴ１５０４）。
【０１４９】
ｆｄが１２０Ｈｚよりも小さい場合には、調整ステップ制御部１１０は、図３の補正幅情報を参照することにより、調整ステップＨとして０．２ｄＢを選択する（ステップＳＴ１５０５）。
【０１５０】
ｆＤが１２０Ｈｚよりも小さくない場合には、調整ステップ制御部１１０は、図３の補正幅情報を参照することにより、調整ステップＨとして０．５ｄＢを選択する（ステップＳＴ１５０６）。
【０１５１】
次に、受信品質判定部１０８は、再送回数情報より再送回数が第１のしきい値以上であるか否かを判定する（ステップＳＴ１５０７）。
【０１５２】
再送回数がしきい値以上である場合、ＣＱＩ選択調整部１１１は、ＣＱＩ選択用のしきい値を受信ＳＩＲの高い方向に、調整ステップＨの補正幅だけ補正する（ステップＳＴ１５０８）。
【０１５３】
一方、再送回数がしきい値以上でない場合、ＣＱＩ選択調整部１１１は、ＣＱＩ選択用のしきい値を受信ＳＩＲの低い方向に、調整ステップＨの補正幅だけ補正する（ステップＳＴ１５０９）。
【０１５４】
次に、ＳＩＲ測定部１０７は、受信信号より受信ＳＩＲを測定する（ステップＳＴ１５１０）。
【０１５５】
次に、ＣＱＩ選択部１１２は、測定された受信ＳＩＲと補正された参照テーブルのしきい値とを比較することにより、測定した受信ＳＩＲに対応するＣＱＩを選択する（ステップＳＴ１５１１）。
【０１５６】
このように、本実施の形態４によれば、上記実施の形態１の効果に加えて、再送回数としきい値との比較結果は、ＣＱＩ選択用のしきい値を補正する方向を決めるためにのみ用いるとともに、調整ステップＨは基準補正値に加算する演算を行うだけであるので、しきい値を補正する処理を簡単にすることができる。
【０１５７】
（実施の形態５）
図１６は、本発明の実施の形態５に係る無線通信装置の調整ステップ制御部における、補正幅情報を保存する参照テーブルを示す図である。なお、本実施の形態５の無線通信装置の構成は図１と同一であるとともに動作は図２と同一であるので、その説明は省略する。
【０１５８】
図１６は、図３の補正幅情報を保存する参照テーブルに代えて適用することができる。図１６に示すように、ｆＤと関係付けられる調整ステップＨは、ＣＱＩ＃１とＣＱＩ＃２との間のしきい値、及びＣＱＩ＃２とＣＱＩ＃３との間のしきい値で異ならせることが可能である。
【０１５９】
このように、本実施の形態５によれば、調整ステップＨをしきい値毎に異ならせるので、低いＣＱＩのしきい値の補正幅を小さくすることにより受信品質が劣化している場合には、ＣＱＩの選択を僅かな受信ＳＩＲの変動に追従させて誤り率特性の劣化を防ぐことができ、高いＣＱＩのしきい値の補正幅を大きくすることにより受信品質が良好な場合には、受信ＳＩＲの多少の変動では選択されるＣＱＩが変更されないようにして符号化率を大きくする等の伝送効率を優先することができ、誤り率特性と伝送効率との両立を図ることができる。
【０１６０】
なお、上記実施の形態１〜実施の形態５において、再送回数に応じて選択される補正幅は、あらかじめ設定されている基準補正幅（０．１ｄＢ）に固定されることとしたが、これに限らず、再送回数に応じて補正幅を変えるようにしても良い。また、上記実施の形態１〜実施の形態５において、あらかじめ決められている基準補正幅に対してＣＱＩ選択調整部１１１にて最終的に決定した補正幅を加減算することとしたが、これに限らず、基準補正幅に対してＣＱＩ選択調整部１１１にて最終的に決定した補正幅を乗算または除算するようにしても良いし、任意の計算方法を適用することができる。また、上記実施の形態１〜実施の形態５において、ｆＤ、遅延スプレッド及びジオメトリにより伝搬環境を推定することとしたが、これに限らず、伝搬環境の推定に利用可能な任意に選択した要素を適宜組み合わせることにより伝搬環境を推定することが可能である。
【産業上の利用可能性】
【０１６１】
本発明にかかる無線通信装置及び受信品質報告方法は、パケットの再送回数の低減により、伝送効率の向上とシステム容量の増大を図る効果を有し、受信品質情報を選択する際のしきい値を適応的に変化させるのに有用である。
【図面の簡単な説明】
【０１６２】
【図１】本発明の実施の形態１に係る無線通信装置の構成を示すブロック図
【図２】本発明の実施の形態１に係る無線通信装置の動作を示すフロー図
【図３】本発明の実施の形態１に係るｆＤと調整ステップとの関係を示す図
【図４】本発明の実施の形態１に係る受信ＳＩＲと時間との関係を示す図
【図５】本発明の実施の形態２に係る無線通信装置の構成を示すブロック図
【図６】本発明の実施の形態２に係る受信ＳＩＲと時間との関係を示す図
【図７】本発明の実施の形態３に係る無線通信装置の構成を示すブロック図
【図８】本発明の実施の形態３に係る無線通信装置の動作を示すフロー図
【図９】本発明の実施の形態３に係る無線通信装置の動作を示すフロー図
【図１０】本発明の実施の形態３に係るｆＤと調整ステップ基本値との関係を示す図
【図１１】本発明の実施の形態３に係る遅延スプレッドと係数との関係を示す図
【図１２】本発明の実施の形態３に係るジオメトリと係数との関係を示す図
【図１３】本発明の実施の形態３に係る無線通信装置の動作を示すフロー図
【図１４】本発明の実施の形態３に係るｆＤと設定時定数基本値との関係を示す図
【図１５】本発明の実施の形態４に係る無線通信装置の動作を示すフロー図
【図１６】本発明の実施の形態５に係るｆＤと調整ステップとの関係を示す図
【図１７】従来の受信ＳＩＲとＣＱＩとの関係を示す図
【符号の説明】
【０１６３】
１００  無線通信装置
１０７  ＳＩＲ測定部
１０８  受信品質判定部
１０９  ｆＤ推定部
１１０  調整ステップ制御部
１１１  ＣＱＩ選択調整部
１１２  ＣＱＩ選択部
【図１】
2005064947.tif 000005
【図２】
2005064947.tif 000006
【図３】
2005064947.tif 000007
【図４】
2005064947.tif 000008
【図５】
2005064947.tif 000009
【図６】
2005064947.tif 000010
【図７】
2005064947.tif 000011
【図８】
2005064947.tif 000012
【図９】
2005064947.tif 000013
【図１０】
2005064947.tif 000014
【図１１】
2005064947.tif 000015
【図１２】
2005064947.tif 000016
【図１３】
2005064947.tif 000017
【図１４】
2005064947.tif 000018
【図１５】
2005064947.tif 000019
【図１６】
2005064947.tif 000020
【図１７】
2005064947.tif 000021